(57)【要約】【課題】  洋式便器への男性立位での小用時、便の便器上や便器外への飛散を防止するため、便器前方３面に平滑な飛散防止壁を設けること。この防止壁は便座引上げに連動して便器内から浮上し、便座引下げによって便器内に収納されること。さらに収納状態で通常の座位での用便を可能な飛散防止装置の提供にある。【解決手段】前面３と両側面２，２’を有する略コの字状の飛散防止板１を成形し、該防止板を自在継ぎ手６，６’を介して便座１１の前方裏面に回動自在に取り付ける。便座１１を引き上げると防止板１は、便座回動軸１４を中心に自在継ぎ手６を介して矢印Ａ方向に回動浮上する。と同時に便座に対しては矢印Ｂ方向に回動する。このＡＢ両回動の複合動によって便器１２上に飛散防止壁が形成される。【選択図】図１
2005261883.tif 000002
【特許請求の範囲】
【請求項１】
平滑な左右両側面と前面とで一体的に構成され、上視では略コの字に成形された飛散防止板を有すること。及び該飛散防止板を便座又は便器に対して回動自在に取り付けること。及び便座引上げに連動して該飛散防止板が回動によって便器上方に浮上し、便器上前方に３面の飛散防止壁を形成させることを特徴とする洋式便器用飛散防止装置。
【請求項２】
請求項１において、飛散防止板の表面に撥水機能、親水機能、消臭機能、抗菌機能のいずれかの機能又は二つ以上複数の機能を有する表面処理を施したことを特徴とする洋式便器飛散防止装置
【請求項３】
請求項１，２の飛散防止装置を組み込んだ便座セット、および便座を含む便器セット
【発明の詳細な説明】
【技術分野】
【０００１】  本発明は、男女兼用かつ立位座位兼用の洋式便器において、男性立位小用時に便器上や周囲の床面への飛散防止装置に関するものである。
【背景技術】
【０００２】  現在洋式便器は一般家庭用、業務用、公共施設用等で幅広く採用され、その普及率は目覚ましものがある。但し戸建て住宅、マンション、アパートなどを含む一般家庭では、一家族一箇所で男女共同利用が大多数を占めているのが現状であるが、ここに大きな問題や悩みがあることは否定できない。【０００３】  それは男性小用時、すぐ前には水槽タンク、便座カバー、便座などが立ちはだかり、これらに飛散させてしまう危険が大きいためそれほど前には立てない。かといって少し後にさがると今度は真下の便器上や便器外の床面に飛散させることになる。このように小用時の立つ位置や放出時の的を絞るのに最大限の注意が必要であり、それでも失敗することが度々あり、その結果便器や床の度々の清掃を必要とし、その労力はもちろん衛生的にも大きな問題であった。【０００４】  このよな問題点に対して、これまで幾つかの飛散防止装置や防止壁の発明と提案がなされているが、いずれの発明においても防止効果や機能性において欠点があり、実用性の点で十分とは言えなかった。以下にその内容を具体的に説明する。【０００５】  特許文献１，３及び４は、便座引き上げ時に便器周囲に飛散防止壁を形成させること、使用後は該飛散防止壁を便座と便器上面の狭い空間に収納すること、そのための手段として防止壁自体を収縮式又は折りたたみ式にすること、などの共通の特徴を持っているがが、これには次のような欠点がある。即ち防止壁は複雑な構造になるばかりでなく、壁面には必然的に凹凸や折り目が生じるため、汚れ易くかつ清掃もし難しいという欠点がある。また使用時ごとに防止壁の収縮と展開が繰り返されるため、実用上耐久性の点でも問題がある。【０００６】  また特許文献２及び３は、防止壁の便座下への収納性の重視とその構造上の制約から防止壁の形成が前面には無く両側面のみにとどまっており、側面よりむしろ重要な前方への飛散に対しては全くの無防備であり、その効果は十分とは言えない。【０００７】  以上の背景技術に示したとおり、現在の洋式便器には飛散防止に対する特別な対応はとられておらず、また飛散対策として提案されているいずれの特許文献においても何らかの大きな欠点があった
【特許文献１】特開２００２−７０１１３号公報
【特許文献２】特開２００１−４０７３０号公報
【特許文献３】実開平２−１３９９８４号公報
【特許文献４】実開昭６１−８８５９７号公報
【発明の開示】
【発明が解決しようとする課題】
【０００８】  本発明が解決しようとする課題は、前項背景技術で指摘した問題点や欠点を同時に解決すること。即ち少なくとも前面を含めた両側面との３面を一体的に成形された平滑な飛散防止板を便座下に収納可能に構成させること、と同時に便座の開閉に連動して該防止板の浮上と収納が出来、かつ収納時は通常の男女の座位による用便とその後の洗浄、水洗機能の維持が可能な飛散防止装置を提供することにある。
【課題を解決するための手段】
【０００９】  本発明は前記課題を解決するため、前面と両側面の３面で一体的に構成されるコの字型の平滑な防止板を成形し、該防止板を便座裏又は便器本体に回動自在に取り付けることによって、便座の開閉に連動して回動を伴いながら上昇（防止壁の形成）と下降（収納）を可能とした。
【発明の効果】
【００１０】  本発明の飛散防止装置は前方と両側面の３面に飛散防止壁が形成されるため、前方への飛散防止はもちろん、より前方に安心して立位できるため直下への飛散防止にも効果的である。また、便座と連動させるため特別の動作や動力の必要も無く、直接手を触れることも無いので衛生的である。動きも回動を利用しているためきわめて滑らか、かつ静かである。【００１１】  その他の特徴ないし効果として、防止板収納時そのまま通常の座位による用便が可能なことの他、防止板は便座下の便器凹部周囲に収納されているため外見上の違和感も生じない。また、当然のことながら使用のたびに防止板を着脱する必要がない。さらに、防止板に撥水機能、親水機能、消臭機能、抗菌機能などの表面処理を施せば、防止板自体の防汚性、清掃容易性、利便性が向上し、より快適に衛生的に利用できる。
【発明を実施するための最良の形態】
【実施例１】
【００１２】  図１−Ｂに実施例１の防止板の斜視図を示す。防止板本体１は平滑な左右の両側面２，２’及び前面３で一体的に構成され、その断面は略コの字に成形されている。また両側面２、２’は便器本体凹み部の外形形状に合わせて外側にやや凸状曲面を有する。また前面３の上端４の両端には回動自在な継ぎ手６、６’の一方が取り付けられている。なお前面３上方の開口部７は洗浄用ノズルの出入り口であり、スリット入り薄ゴムで構成され通常は略閉口状態を保っている。【００１３】  図１−Ａに実施例１の実施形態の側面図を示し本発明装置の作用と効果を説明するが、理解を容易にするため便器本体凹部形状１７及び防止板１については、透視して実線で示した。また本発明と直接関係のない給排水関係の経路や部品については省略又は簡略化した。図１−Ａは便座カバー１０が上方に引き上げられ、便座１１は便器本体１２の上面１３に着座している状態を示す。このとき防止板本体１は回動自在継ぎ手６，６’の他方が便座１１の前方裏面に取り付けられ、便座下の便器本体内の凹部側壁に沿うように収納されている。このとき防止板１は前面上方１５において便器に当接することにより、その姿勢が安定に保たれている。【００１４】  男性小用時便座１１を引き上げるとき、防止板１は自在継ぎ手６，６’を介して便座回動軸１４を中心に図中矢印Ａ方向に円弧状に引き上げられると同時に、防止板１は便座１１に対しては図中矢印Ｂ方向に回動しながら、Ａ方向とＢ方向の複合動によって上方に引上げられる。便座引上げ後における便座１１と防止板１は、図中一点鎖線の位置と姿勢で停止し、その結果便器上方の３方に飛散防止壁が形成される。【００１５】  前項説明のように防止板の動きは回動によって行うため、作動は極めて軽く滑らかに行えること、及び３方に防止壁を形成させることにより、便器の前後左右の飛散に対して、防止効果を大幅に向上させることができる。【００１６】  小用終了後便座を下に降ろすと、防止板は上昇時と逆の動きにより元の位置に収納されるが、その状態で通常の座位用便に支障は生じない。それは、防止板１が便座１１中央の開口部直上からは見えない所に位置していることにより便の落下とは干渉しないこと。つぎに、用便後の洗浄に対しても、防止板に設けられた開口部７を通して洗浄ノズルの出入りが可能なこと。その後の水洗に対しても、防止板１の下端部全長１６と便器本体凹みの底面１７との間、及び防止板全面の外側１８と便器凹み側面１９との間には、それぞれ一定の間隔２０，２１が確保されているため従来と同等の水流が維持出来るため、従来と同様の水洗機能を維持できること。などの特徴を有することに因る。
【実施例２】
【００１７】  図２−Ｂに実施例２で使用する防止板の斜視図を示す。この防止板の特徴は、図１−Ｂにおける自在継ぎ手６，６’に’替わって防止板両側面２、２’の後方に一対の軸受け穴８，８’が同一軸心上に設けられていること、及び両側面２，２’の前下方に引上げロッドの一端を回動自在に取り付けるための一対の穴９、９’が設けられていることである。その他の形状的、構造的特徴や作用については実施例１に於ける防止板と同じである。【００１８】  図２−Ａに実施例２の実施形態の側面図を示す。この側面図についても図１−Ａと同様の描き方の基、実施例１と異なるところを説明する。まず防止板１は後方において便器凹部側面に設けられた軸受けボス２２に回動自在に嵌合固定されている。一方前方においては引上げロッド２３の一端が防止板取り付け穴９に、他端が便座１１の前方裏面２４にそれぞれ回動自在に固定されている。【００１９】  前記の取り付けと構成により、便座の引上げに連動して防止板１は引上げロッド２３を介して回動軸２２を中心に矢印Ｃ方向に回動浮上する。そして便座引上げ後の便座、引上げロッド及び防止板の位置と姿勢は一点鎖線で静止する。このように便器上方前面に３面の飛散防止壁が形成される。【００２０】  実施例２における前記説明以外の作用、効果、特徴などについては、実施例１と同じである。
【産業上の効果】
【００２１】  本発明装置は、防止板本体が１枚の平滑面の成形品であるため、蛇腹壁の様な多部品の複雑な加工を必要とせず、使用耐久性や製造コストの面で有利である。便器や便座への取り付けが単純であるため、使用中の既存便器への取り付けが比較的容易であること。防止板と便座及び便器とは取り付け部を除き基本的に非接触で一定の隙間を有するため、寸法形状の多種多様な便器に対して汎用性が高く、種類を少なく抑えることができる。防止板の材質をアルミやステンレスのような塑性変形可能な金属板で構成すれば、便器に対する形状の微調整が可能となり、さらに汎用性が高まる。などの特徴を有する。
【図面の簡単な説明】
【００２２】
【図１−Ａ】実施例１の飛散防止装置を示す側面図
【図１−Ｂ】実施例１の飛散防止板の斜視図
【図２−Ａ】実施例２の飛散防止装置を示す側面図
【図２−Ｂ】実施例２の飛散防止板の斜視図
【符号の説明】
【００２３】    １      飛散防止板          １３    便器本体上面
２，２’防止板側面          １４    便座回動軸
３      防止板前面          １５    飛散防止板と便器本体との当接部
４      防止板前面上端      １６    防止板３面の下端
５      防止板下端          １７    便器本体凹み底面
６，６’回動自在継ぎ手      １８    防止板外面
７      開口部              １９    便器本体側面
８      回動自在軸受穴      ２０    防止板下端と便器本体凹み底面との隙間
９，９’引上げロッド取付穴  ２１    防止板外面と便器本体凹み側面との隙間
１０    便座カバー          ２２    防止板の回動軸
１１    便座                ２３    防止板引き上げロッド
１２    便器本体            ２４    防止板引き上げロッドの便座への取付部
【図１】
2005261883.tif 000003
【図２】
2005261883.tif 000004
【手続補正書】
【提出日】平成16年5月14日(2004.5.14)
【手続補正１】
【補正対象書類名】明細書
【補正対象項目名】００２２
【補正方法】変更
【補正の内容】
【００２２】
【図１】（Ａ）は、実施例１の飛散防止装置を示す側面図。（Ｂ）は、実施例１の飛散防止板の斜視図。
【図２】（Ａ）は、実施例２の飛散防止装置を示す側面図。（Ｂ）は、実施例２の飛散防止板の斜視図。